(57)【要約】【課題】簡易な構造の照明付き携帯用手鏡を提供する。【解決手段】携帯用手鏡１は、上下ケース１０，１２にそれぞれ手鏡用のミラー１４，１６が設けられている。ミラー１４に複数の光透過窓１８が設けられ、そのミラー面の背後、すなわちミラー１４と上ケース１０との隙間に、光透過窓１８と対応してＬＥＤが設けられる。これにより、ＬＥＤの照射光を光透過窓１８を通してミラー１４の前面に導くことができる。また、上ケース１０と下ケース１２が回動軸２０によって互いに回動自在に連結されているので、ミラー１４，１６を任意の角度に開くことができる。【選択図】図１
0003119595.tif 000002
【実用新案登録請求の範囲】
【請求項１】
手鏡用のミラーと、
ミラー面の背面に設けられた複数の光透過窓と、
ミラー面の背後に各光透過窓と対応して設けられたＬＥＤと、
を備え、
前記光透過窓を通して前記ＬＥＤの照射光をミラー前面に導くことを特徴とする携帯用手鏡。
【請求項２】
二つ折りの手鏡用のミラーと、
一方のミラー面の背面に設けられた複数の光透過窓と、
ミラー面の背後に各光透過窓と対応して設けられたＬＥＤと、
を備え、
前記光透過窓を通して前記ＬＥＤの照射光をミラー前面に導くことを特徴とする携帯用手鏡。
【請求項３】
請求項２に記載の携帯用手鏡において、
両ミラーは回動軸によって互いに回動自在に結合され、開き角度を自由に調整可能であることを特徴とする携帯用手鏡。
【請求項４】
請求項３に記載の携帯用手鏡において、
回動軸の摺動部にはパッキンが挿入され、任意の回動角度で両ミラーを保持できることを特徴とする携帯用手鏡。
【請求項５】
請求項１〜４のいずれか１項に記載の携帯用手鏡において、
前記透過窓はサンドブラスト加工にて形成されることを特徴とする携帯用手鏡。
【請求項６】
請求項１〜５のいずれか１項に記載の携帯用手鏡において、
前記透過窓は、ミラーの両端に沿って設けられていることを特徴とする携帯用手鏡。
【考案の詳細な説明】
【技術分野】
【０００１】
本考案は携帯用手鏡、特に照明付きの携帯用手鏡の改良に関する。
【背景技術】
【０００２】
従来から、折り畳み式の小型の手鏡や、手鏡付き化粧容器等の携帯用手鏡が利用されている。例えば、女性が化粧直しにこれらの手鏡を利用する場合には、夜や暗所で（車の中など）、十分な明るさを得ることが必要である。このため、下記特許文献１，２に開示されている様に、手鏡の周囲に照明ランプを取り付けた照明付き手鏡が考案されている。
【０００３】
【特許文献１】特開平９−２６２１３４号公報
【特許文献２】実開平５−９４１３号公報
【考案の開示】
【考案が解決しようとする課題】
【０００４】
しかしながら、上述した特許文献１，２の様に、手鏡の周囲に照明ランプを取り付けてしまうと、鏡の面積が小さくなってしまうという問題がある。また、照明ランプを保護する別部材が必要となり、構造が複雑となるという問題がある。
【０００５】
そこで本考案は上記課題を解決するためになされたもので、簡易な構造の照明付き携帯用手鏡を提供することを目的とする。
【課題を解決するための手段】
【０００６】
本考案の携帯用手鏡は、手鏡用のミラーと、ミラー面の背面に設けられた複数の光透過窓と、ミラー面の背後に各光透過窓と対応して設けられたＬＥＤと、を備え、光透過窓を通してＬＥＤの照射光をミラー前面に導くことを特徴とする。
【０００７】
本考案の携帯用手鏡は、二つ折りの手鏡用のミラーと、一方のミラー面の背面に設けられた複数の光透過窓と、ミラー面の背後に各光透過窓と対応して設けられたＬＥＤと、を備え、光透過窓を通してＬＥＤの照射光をミラー前面に導くことを特徴とする。
【０００８】
また、本考案の携帯用手鏡において、両ミラーは回動軸によって互いに回動自在に結合され、開き角度を自由に調整可能であることを特徴とする。
【０００９】
更に、本考案の携帯用手鏡において、回動軸の摺動部にはパッキンが挿入され、任意の回動角度で両ミラーを保持できることを特徴とする。
【００１０】
更に、本考案の携帯用手鏡において、透過窓はサンドブラスト加工にて形成されることを特徴とする。
【００１１】
更に、本考案の携帯用手鏡において、透過窓は、ミラーの両端に沿って設けられていることを特徴とする。
【考案の効果】
【００１２】
本考案によれば、ミラー面の背後にＬＥＤを配置し、ミラー面の背面に設けられた複数の光透過窓を通して、照射光をミラー前面に導くことにしたので、ミラー面積を大きく保持することができる。また、ミラー自体がＬＥＤの保護部材となるので、簡素な構造とすることができる。
【考案を実施するための最良の形態】
【００１３】
以下、本考案の好適な実施の形態（以下、実施形態という）について、図面を参照し説明する。
【００１４】
図１は、本実施形態の携帯用手鏡の全体斜視図であり、図１（Ａ）、図１（Ｂ）は、それぞれ異なる角度で開かれた状態を示している。
【００１５】
本実施形態の携帯用手鏡１は、携帯に便利な大きさで構成され、化粧直し用の手鏡、その他の目的で用いることができる。この携帯用手鏡１は、上ケース１０及び下ケース１２を有し、この上下ケース１０，１２にそれぞれ手鏡用のミラー１４，１６が設けられる。本実施形態においては、ミラー１４に複数の光透過窓１８が設けられ、そのミラー面の背後、すなわちミラー１４と上ケース１０との隙間に、光透過窓１８と対応してＬＥＤ（図示せず）が設けられている。これにより、後述する様に、ＬＥＤの照射光を光透過窓１８を通してミラー１４の前面に導くことができる。また、上ケース１０と下ケース１２が回動軸２０によって互いに回動自在に連結され、図１（Ａ）、（Ｂ）に示す様に、ミラー１４，１６を任意の角度に開くことができる。以下、携帯用手鏡１について詳細に説明する。
【００１６】
図２は、携帯用手鏡１のミラー１４，１６を取り外した状態の内部構造を示す分解図であり、図３は、携帯用手鏡１を閉じた状態の側面図、図４は、携帯用手鏡１を閉じた状態の断面図である。
【００１７】
図２、図３に示す様に、上ケース１０の長さは約１１３ｍｍ、横幅約８５ｍｍ、図３に示す様に、上ケース１０と下ケース１２を閉じた状態の厚さ約１０．９ｍｍ、回動軸２０の直径約１４．５ｍｍで構成することができる。この大きさは、一例であって、用途にあわせこの大きさよりも大きくしても良く、小さくしても良い。
【００１８】
図２に示す様に、上ケース１０の一端部に筒形状の回動軸部２２が形成され、下ケース１２の一端部に筒形状の回動軸部２４が形成される。この回動軸部２２の摺動部２２ａと回動軸部２４の摺動部２４ａとの間に、円環状のパッキン２６が挿入され、上ケース１０と下ケース１２とが連結される。これにより、両ミラー１４，１６は、開き角度を自由に調整することができる。 図１（Ｂ）に示すように、両ミラー１４，１６は、３１５°程度開くことができ、回動軸２０を上側にして台に置くこともできる。また、パッキン２６の摩擦力により、任意の回動角度で両ミラー１４，１６を保持することができる。
【００１９】
また、上ケース１０の他端部には磁石２８が埋め込まれ、下ケース１２の他端部には鉄片３０が設けられる。これにより、図３に示す様に、携帯用手鏡１を閉じたときに、閉じた状態を保持することができる。
【００２０】
次に、照明装備について説明する。
【００２１】
図２に示す様に、下ケース１２の回動軸部２４内に、操作ボタン３２、スイッチ３４、電源３６等が配置される。電源３６には、例えば、アルカリ１２Ｖ電池を用いることができる。一方、上ケース１０の両端側にプリント配線基板３８，４０が配置され、このプリント配線基板３８，４０上にＬＥＤ（発光ダイオード）４２と、抵抗４４が配置される。
下ケース１２の電源３６とプリント配線基板３８が電源用リード線４６で接続され、プリント配線基板３８とプリント配線基板４０とが連結用リード線４８で接続される。すなわち、操作ボタン３２を押圧すると、スイッチ３４が「ＯＮ」の状態になり、閉回路が形成され、ＬＥＤ４２が点灯し、再度操作ボタン３２を押圧すると、スイッチ３４が「ＯＦＦ」の状態になり、閉回路が解除されて、ＬＥＤ４２が消灯する。
【００２２】
本実施形態において、ＬＥＤ４２は、各基板３８，４０上にミラー１４の両端に沿って所定の間隔で３つずつ配置されている。これにより、ミラー１４の両脇から照射光を得ることができるので、対象物を広範囲を明瞭に照らすことができる。
【００２３】
また、ＬＥＤ４２は、例えば、白色ＬＥＤを用いることができる。なお、化粧直し用の携帯用手鏡１としては、人の肌を綺麗に見せることができるピンク系白色のＬＥＤを用いると好適である。
【００２４】
図５は、ミラー１４を説明する図であり、図５（Ａ）は正面図であり、図６（Ｂ）はＡ−Ａ線断面図である。本実施形態において、ミラー１４は、透明鏡体５０と、ミラー面の背面に接着されたアルミ蒸着膜等の鏡膜５２と、から構成されている。本実施形態の光透過窓１８は、ＬＥＤ４２に対応する位置の鏡膜５２を剥離することにより形成されている。このように、鏡膜５２を単に剥離することにより光透過窓１８を形成するので、製造コストを下げることができる。また、好適には、サンドブラスト加工で鏡膜５２を剥離し透明鏡体５０の表面（裏面）を荒らす（微小な凹凸面を形成する）ことが好ましい。これにより、ＬＥＤ４２の照射光を光透過窓１８を通過する際に乱反射させることができるので、人の顔などの対象物をやわらかくほんのりと明るくすることができる。
【００２５】
このように、形成されたミラー１４をそのミラー面の背後にＬＥＤ４２が配置されるように上ケース１０に嵌め、これにより、ＬＥＤ４２の照射光をミラー面の背面に設けられた複数の光透過窓１８を通して、ミラー前面に導く。このような構成にすることにより、ミラー面積を大きく保持することができる。また、ミラー１４自体がＬＥＤ４２の保護部材となるので、簡素な構造とすることができる。
【００２６】
次に、携帯用手鏡１を使用して化粧直しをする場合について説明する。
【００２７】
例えば、図１（Ａ）又は（Ｂ）に示す様に、上ケース１０又は下ケース１２を互いに回動させ、任意の角度に開く。このとき、摺動部２２ａ、２２ｂに介在されたパッキン２６により、任意の回動角度で両ミラー１４，１６を保持することができる。次に、操作ボタン３２を押圧し、ＬＥＤ４２を点灯させる。これにより、夜や暗所でも照明を得ることができ、化粧直しをすることができる。本実施形態においては、ＬＥＤの照射光は、サンドブラスト加工で形成された光透過窓１８により乱反射されるので、顔をやわらかくほんのりと照らすことができる。これにより、顔に影を作ることがなく顔全体を照らすことができるので、均一な化粧直しをすることができる。また、本実施形態においては、ＬＥＤ４２の照射光はミラー１４の両端に沿って３箇所から照射されるので、顔全体を明るく照らすことができる。
【００２８】
本実施形態においては、２つ折りの携帯用手鏡について説明したが、スライド式に開く手鏡としても良く、手鏡用のミラーを１つにしても良い。また、両方のミラーにＬＥＤを設けてもよい。
【００２９】
また、ＬＥＤの色、数、配置等は種々の変更が可能である。発光器として、ＬＥＤ以外の省電力で小型の発光器を用いても良い。
【００３０】
更に、本実施形態においては、光透過窓をサンドブラスト加工により形成しているが、例えば、ＬＥＤの照射光が集束されるような光透過窓を１つ或いは複数個設けても良い。
【図面の簡単な説明】
【００３１】
【図１】本実施形態の携帯用手鏡の全体斜視図である。
【図２】本実施形態の携帯用手鏡の内部構造を示す分解図である。
【図３】本実施形態の携帯用手鏡を閉じた状態を示す側面図である。
【図４】本実施形態の携帯用手鏡を閉じた状態を示す断面図である。
【図５】ミラーを説明する図である。
【符号の説明】
【００３２】
１  携帯用手鏡、１０  上ケース、１２  下ケース、１４，１６  ミラー、１８  光透過窓、２０  回動軸、２２  回動軸部、２２ａ  摺動部、２４  回動軸部、２４ａ  摺動部、２６  パッキン、２８  磁石、３０  鉄片、３２  操作ボタン、３４  スイッチ、３６  電源、３８，４０  プリント配線基板、４２  ＬＥＤ（発光ダイオード）、４４  抵抗、４６  電源用リード線、４８  連結用リード線、５０  透明鏡体、５２  鏡膜。
【図１】
0003119595.tif 000003
【図２】
0003119595.tif 000004
【図３】
0003119595.tif 000005
【図４】
0003119595.tif 000006
【図５】
0003119595.tif 000007